(57)【要約】  電気音響ドライバは、第１の端部及び第２の端部を有するスリーブと、そのスリーブの第１の位置にある第１のワイヤ出口開口部と、そのスリーブの第２の位置にある第２のワイヤ出口開口部と、そのスリーブ内の音声コイルと、第１の端部と第２の端部の間のスリーブ内で音声コイルと磁気的に連通する磁性アセンブリと、第１のワイヤ出口開口部にある第１の領域、音声コイルにある第２の領域、並びに第１の領域と第２の領域の間で音響アセンブリの周りにヘリックスとして構成された第３の領域を有する、音声コイルの導電性ワイヤとを備える。導電性ワイヤの第３の領域は、音声コイルと第１のワイヤ出口開口部の間で実質的に支持されていない。
2019518387.tif 000002
【特許請求の範囲】
【請求項１】
第１の端部及び第２の端部を有するスリーブと、
前記スリーブの第１の位置にある第１のワイヤ出口開口部と、
前記スリーブの第２の位置にある第２のワイヤ出口開口部と、
前記スリーブ内の音声コイルと、
前記第１の端部と前記第２の端部の間の前記スリーブ内で前記音声コイルと磁気的に連通する磁性アセンブリと、
前記音声コイルの導電性ワイヤであって、前記第１のワイヤ出口開口部にある第１の領域、前記音声コイルにある第２の領域、並びに、前記第１の領域と前記第２の領域の間で音響アセンブリの周りにヘリックスとして構成された第３の領域を有し、前記導電性ワイヤの前記第３の領域が、前記音声コイルと前記第１のワイヤ出口開口部の間で実質的に支持されていない、前記音声コイルの導電性ワイヤと、を備える、電気音響ドライバ。
【請求項２】
前記スリーブの前記第１の端部を覆う振動板を更に備え、前記音響アセンブリが、
前記振動板と連通するボビン、及び
前記スリーブ内の前記ボビンの周りの前記音声コイルの導電性ワイヤの第３の領域を含む、請求項１に記載の電気音響ドライバ。
【請求項３】
前記導電性ワイヤの前記第１及び第２の領域が、前記スリーブ内で前記音声コイルの上方にある、請求項１に記載の電気音響ドライバ。
【請求項４】
前記第１のワイヤ出口凹部及び前記第２のワイヤ出口凹部が、前記導電性ワイヤの前記第１の領域及び前記第２の領域が同一の軸に沿って延びるように、相互に１８０度の位置にある、請求項１に記載の電気音響ドライバ。
【請求項５】
前記スリーブ及び前記音響アセンブリが、軸の周りに配置され、前記スリーブが前記ヘリックスを形成するように前記軸の周りを回転するように構成されている、請求項１に記載の電気音響ドライバ。
【請求項６】
前記第１及び第２の領域が、前記音声コイルの導電性ワイヤの前記第３の領域から前記スリーブまで支持されていない、請求項１に記載の電気音響ドライバ。
【請求項７】
前記音声コイルの導電性ワイヤの前記第１の領域が、第１の点、第２の点、及び第３の点を含み、前記第３の点が前記第１のワイヤ出口凹部にあり、前記第１の領域が、前記第１の点から前記第３の点まではらせん状、前記第３の点から前記第２の点までは直線であり、
前記音声コイルの導電性ワイヤの前記第２の領域が、第１の点、第２の点、及び第３の点を含み、前記第３の点が、前記第２のワイヤ出口凹部にあり、前記第２の領域が、前記第１の点から前記第３の点まではらせん状、前記第３の点から前記第２の点までは直線である、請求項１に記載の電気音響ドライバ。
【請求項８】
前記導電性ワイヤの前記第１及び第２の領域の一方が、前記第１及び第２の領域の他方の方向と異なる方向にらせん状経路に沿って延びるように、湾曲部を含むことができる、請求項１に記載の電気音響ドライバ。
【請求項９】
第１の端部及び第２の端部を有するスリーブと、
前記スリーブ内の音声コイルと、
前記第１の端部と前記第２の端部の間の前記スリーブ内で前記音声コイルと磁気的に連通する磁性アセンブリと、
前記磁性アセンブリの一部の周りのマンドレル要素と、
前記音声コイルから延び、実質的に、（ａ）前記音声コイルと前記マンドレル要素の間でヘリックスの形状をとり、（ｂ）前記音声コイルと前記マンドレル要素の間で支持されていない導電性ワイヤと、を備える、電気音響ドライバ。
【請求項１０】
前記スリーブの前記第１の端部を覆う振動板を更に備え、前記音響アセンブリが、
前記振動板と連通するボビン、及び
前記スリーブ内の前記ボビンの周りの第３の領域を含む前記音声コイルを含む、請求項９に記載の電気音響ドライバ。
【請求項１１】
前記導電性ワイヤの前記第１及び第２の領域が、前記スリーブ内で前記音声コイルの下方にある、請求項９に記載の電気音響ドライバ。
【請求項１２】
前記音響アセンブリが、前記導電性ワイヤの前記第１の領域を受けるための第１の開口部、及び前記導電性ワイヤの前記第２の領域を受けるための第２の開口部を有するバックプレートを含む、請求項９に記載の電気音響ドライバ。
【請求項１３】
前記スリーブの前記第２の端部に結合された回路基板を更に備え、前記導電性ワイヤの前記第１及び第２の領域が、前記回路基板に延びる、請求項９に記載の電気音響ドライバ。
【請求項１４】
前記第１及び第２の領域が、前記音声コイルの導電性ワイヤの第３の領域から前記マンドレル要素まで支持されていない、請求項９に記載の電気音響ドライバ。
【請求項１５】
前記音声コイルの導電性ワイヤの前記第１の領域が、第１の点、第２の点、及び第３の点を含み、前記第３の点が前記マンドレル要素にあり、前記第１の領域が、前記第１の点から前記第３の点まではらせん状、前記第３の点から前記第２の点までは直線であり、
前記音声コイルの導電性ワイヤの前記第２の領域が、第１の点、第２の点、及び第３の点を含み、前記第３の点が、前記マンドレル要素にあり、前記第２の領域が、前記第１の点から前記第３の点まではらせん状、前記第３の点から前記第２の点までは直線である、請求項９に記載の電気音響ドライバ。
【請求項１６】
スリーブの第１の位置における第１のワイヤ出口開口部、及び前記スリーブの第２の位置における第２のワイヤ出口開口部を含むスリーブ内に、音声コイルを位置決めすることと、
第１の端部と第２の端部の間の前記スリーブ内に、磁性アセンブリを位置決めすることと、
前記音声コイルと前記第１のワイヤ出口開口部の間の前記磁性アセンブリの周りにヘリックスとして前記音声コイルの導電性ワイヤを配置することであって、前記らせん状導電性ワイヤが、前記音声コイルと前記第１のワイヤ出口開口部の間で実質的に支持されていない、配置することと、を含む、電気音響ドライバを組み立てるための方法。
【請求項１７】
前記第１のワイヤ出口凹部及び前記ワイヤ出口凹部が、前記スリーブの前記第１の端部において相互に１８０度の位置にある、請求項１６に記載の方法。
【請求項１８】
前記音響アセンブリの周りに前記導電性ワイヤを配置することが、
前記スリーブがそれに沿って延びる軸の周りに、前記スリーブを前記音声コイルに対して第１の方向に所定の位置まで回転させることと、
前記スリーブの回転に応答して前記導電性ワイヤから前記ヘリックスを形成することと、を含む、請求項１６に記載の方法。
【請求項１９】
前記第１及び第２の領域が前記所定の位置にあり、前記方法が、前記導電性ワイヤの前記第１及び第２の領域が、それぞれ前記スリーブに対して接線方向に延びるように、前記スリーブを前記所定の位置を超えて回転させることを更に含む、請求項１８に記載の方法。
【請求項２０】
前記第１及び第２の領域が前記所定の位置になるまで、前記第１の方向と反対の第２の方向に前記スリーブを回転させることを更に含む、請求項１９に記載の方法。
【請求項２１】
前記スリーブを前記第２の方向へ回転させた後で、前記第１の方向への前記スリーブの回転よりも少ない量の回転で前記スリーブを回転させることを含む、請求項２０に記載の方法。
【請求項２２】
前記第１及び第２の領域が、前記スリーブに対して接線方向に延びたとき、前記スリーブに対して第１の角度であり、前記第１及び第２の領域が前記所定の位置にあるとき、前記第１及び第２の領域は前記第１の角度よりも大きい第２の角度にある、請求項１９に記載の方法。
【請求項２３】
前記第１及び第２の領域が、前記所定の位置において同一直線上にある、請求項１９に記載の方法。
【請求項２４】
位置合わせツールを前記スリーブの前記第２の端部に結合することと、
前記位置合わせツールを静止位置に保持し、前記スリーブを静止した前記位置合わせツールの周りに回転させることと、を更に含む、請求項１６に記載の方法。
【請求項２５】
音声コイルをスリーブ内に位置決めすることと、
マンドレル要素を含む磁性アセンブリを、前記スリーブの第１の端部と第２の端部の間の前記スリーブ内に位置決めすることと、
前記音声コイルと前記マンドレルの間の前記磁性アセンブリの周りに、ヘリックスとして前記音声コイルの導電性ワイヤを配置することと、を含む、電気音響ドライバを形成するための方法。
【請求項２６】
ヘリックスとして前記音声コイルの前記導電性ワイヤを配置することが、
前記音響アセンブリを前記スリーブ内の前記音声コイルの方向に並進させることと、
前記音響アセンブリを回転させて前記ヘリックスを形成することと、を含む、請求項２５に記載の方法。
【発明の詳細な説明】
【技術分野】
【０００１】
関連出願
本出願は、「Ｍｉｎｉａｔｕｒｅ  Ｖｏｉｃｅ  Ｃｏｉｌ  Ｈａｖｉｎｇ  Ｈｅｌｉｃａｌ  Ｌｅａｄ−Ｏｕｔ  ｆｏｒ  Ｅｌｅｃｔｒｏ−Ａｃｏｕｓｔｉｃ  Ｔｒａｎｓｄｕｃｅｒ」と題する、２０１６年６月１４日出願の米国特許出願第１５／１８１，９８９号の優先権及び利益を主張し、その全体が参照により本明細書に組み込まれる。
【背景技術】
【０００２】
本説明は一般にヘッドホン用の変換器に関し、より詳細には、小型電気音響変換器の音声コイルリードアウト構成に関する。
【発明の概要】
【課題を解決するための手段】
【０００３】
１つの態様によれば、電気音響ドライバは、第１の端部及び第２の端部を有するスリーブと、そのスリーブの第１の位置にある第１のワイヤ出口開口部と、そのスリーブの第２の位置にある第２のワイヤ出口開口部と、そのスリーブ内の音声コイルと、第１の端部と第２の端部の間のスリーブ内で音声コイルと磁気的に連通する磁性アセンブリと、第１のワイヤ出口開口部にある第１の領域、音声コイルにある第２の領域、並びに第１の領域とび第２の領域の間で音響アセンブリの周りにヘリックスとして構成された第３の領域を有する、音声コイルの導電性ワイヤとを備える。導電性ワイヤの第３の領域は、音声コイルと第１のワイヤ出口開口部の間で実質的に支持されていない。
【０００４】
諸態様は、下記の特徴のうちの１つ以上を含むことができる。
電気音響ドライバは、スリーブの第１の端部を覆う振動板を更に備えることができる。音響アセンブリは、振動板と連通するボビン、及びスリーブ内のボビンの周りの音声コイル導電性ワイヤの第３の領域を含むことができる。
【０００５】
導電性ワイヤの第１及び第２の領域は、スリーブ内で音声コイルの上方にあってもよい。
【０００６】
第１のワイヤ出口凹部及び第２のワイヤ出口凹部は、導電性ワイヤの第１の領域及び第２の領域が同一の軸に沿って延びるように、相互に１８０度の位置にあってもよい。
【０００７】
スリーブ及び音響アセンブリは、軸の周りに配置してもよい。スリーブは、ヘリックスを形成するように軸の周りを回転するように構成されてもよい。
【０００８】
第１及び第２の領域は、音声コイル導電性ワイヤの第３の領域からスリーブまで支持されていなくてもよい。
【０００９】
音声コイル導電性ワイヤの第１の領域は、第１の点、第２の点、及び第３の点を含むことができる。第３の点を第１のワイヤ出口凹部としてもよい。第１の領域は、第１の点から第３の点まではらせん状、第３の点から第２の点までは直線とすることができる。音声コイル導電性ワイヤの第２の領域は、第１の点、第２の点、及び第３の点を含む。第３の点は、第２のワイヤ出口凹部にある。第２の領域は、第１の点から第３の点まではらせん状、第３の点から第２の点までは直線とすることができる。
【００１０】
導電性ワイヤの第１及び第２の領域の一方は、第１及び第２の領域の他方の方向と異なる方向にらせん状経路に沿って延びるように、湾曲部を含むことができる。
【００１１】
１つの態様によれば、電気音響ドライバは、第１の端部及び第２の端部を有するスリーブ、スリーブ内の音声コイル、第１の端部と第２の端部の間のスリーブ内で音声コイルと磁気的に連通する磁性アセンブリ、磁性アセンブリの一部の周りのマンドレル要素、及び音声コイルから延びる導電性ワイヤを備える。導電性ワイヤは実質的に、（ａ）音声コイルとマンドレル要素の間でヘリックスの形状であり、（ｂ）音声コイルとマンドレル要素の間で支持されていない。
【００１２】
諸態様は、下記の特徴のうちの１つ以上を含むことができる。
電気音響ドライバは、スリーブの第１の端部を覆う振動板を更に備えることができる。音響アセンブリは、振動板と連通するボビンを含むことができ、音声コイルは、スリーブ内のボビンの周りの第３の領域を含むことができる。
【００１３】
導電性ワイヤの第１及び第２の領域は、スリーブ内の音声コイルの下方にあってもよい。
【００１４】
音響アセンブリは、導電性ワイヤの第１の領域を受けるための第１の開口部、及び導電性ワイヤの第２の領域を受けるための第２の開口部を有するバックプレートを含むことができる。
【００１５】
電気音響ドライバは更に、スリーブの第２の端部に結合された回路基板を含むことができる。導電性ワイヤの第１及び第２の領域は、回路基板に延びてもよい。
【００１６】
第１及び第２の領域は、音声コイル導電性ワイヤの第３の領域からマンドレル要素まで支持されていなくてもよい。
【００１７】
音声コイル導電性ワイヤの第１の領域は、第１の点、第２の点、及び第３の点を含むことができ、第３の点はマンドレル要素にある。第１の領域は、第１の点から第３の点まではらせん状、第３の点から第２の点までは直線とすることができる。音声コイル導電性ワイヤの第２の領域は、第１の点、第２の点、及び第３の点を含むことができる。第３の点をマンドレル要素としてもよい。第２の領域は、第１の点から第３の点まではらせん状、第３の点から第２の点までは直線とすることができる。
【００１８】
別の態様において、電気音響ドライバを組み立てるための方法は、スリーブの第１の位置における第１のワイヤ出口開口部、及びスリーブの第２の位置における第２のワイヤ出口開口部を含むスリーブ内に、音声コイルを位置決めすることと、第１の端部と第２の端部の間のスリーブ内に磁性アセンブリを位置決めすることと、音声コイルと第１のワイヤ出口開口部の間の磁性アセンブリの周りにヘリックスとして音声コイルの導電性ワイヤを配置することとを含む。らせん状の導電性ワイヤは、音声コイルと第１のワイヤ出口開口部との間で実質的に支持されていない。
【００１９】
諸態様は、下記の特徴のうちの１つ以上を含むことができる。
第１のワイヤ出口凹部及びワイヤ出口凹部は、スリーブの第１の端部において相互に１８０度の位置にあってもよい。
【００２０】
音響アセンブリの周りに導電性ワイヤ配置することは、スリーブがそれに沿って延びる軸の周りに、スリーブを音声コイルに対して第１の方向に所定の位置まで回転させることと、スリーブの回転に応答して導電性ワイヤからヘリックスを形成することとを含むことができる。
【００２１】
第１及び第２の領域は所定の位置にあってもよく、この方法は、導電性ワイヤの第１及び第２の領域がそれぞれスリーブに対して接線方向に延びるように、スリーブを所定の位置を超えて回転させることを更に含む。
【００２２】
この方法は、第１及び第２の領域が所定の位置になるまで、第１の方向と反対の第２の方向にスリーブを回転させることを更に含むことができる。
【００２３】
スリーブを第２の方向へ回転させた後で、第１の方向へのスリーブの回転よりも少ない量の回転でスリーブを回転させることを含んでもよい。
【００２４】
第１及び第２の領域は、スリーブに対して接線方向に延びたとき、スリーブに対して第１の角度であってよい。第１及び第２の領域は、第１及び第２の領域が所定の位置にあるとき、第１の角度よりも大きい第２の角度であってもよい。
【００２５】
第１及び第２の領域は、所定の位置において同一直線上にあってもよい。
【００２６】
この方法は、位置合わせツールをスリーブの第２の端部に結合すること、及び位置合わせツールを静止位置に保持し、スリーブを静止した位置合わせツールの周りに回転させることを更に含み得る。
【００２７】
別の態様において、電気音響ドライバを形成するための方法は、音声コイルをスリーブ内に位置決めすること、マンドレル要素を含む磁性アセンブリを、スリーブの第１の端部と第２の端部の間のスリーブ内に位置決めすること、及び音声コイルとマンドレルの間の磁性アセンブリの周りにヘリックスとして音声コイルの導電性ワイヤを配置することとを含む。
【００２８】
諸態様は、下記の特徴のうちの１つ以上を含むことができる。
ヘリックスとして音声コイルの導電性ワイヤを配置することは、音響アセンブリをスリーブ内の音声コイルの方向に並進させ、音響アセンブリを回転させてヘリックスを形成することを含むことができる。
【００２９】
本発明の概念の実例の上記及び更なる利点は、添付の図面と共に下記の記述を参照することによって一層よく理解できるであろう。様々な図において同一の数字は同一の構造的要素及び機能を示す。図面は必ずしもスケーリングされておらず、むしろ、機能及び実施形態の原理を説明することに重点が置かれている。
【図面の簡単な説明】
【００３０】
【図１Ａ】いくつかの実例による電気音響変換器及び位置合わせツールの斜視図である。
【図１Ｂ】図１Ａの電気音響変換器及び位置合わせツールの上面図である。
【図１Ｃ】図１Ａ及び図１Ｂの電気音響変換器及び位置合わせツールの断面正面図である。
【図２】いくつかの実例によるらせん状リードアウトを有する、電気音響変換器を組み立てるための方法を示す図である。
【図３】いくつかの実例によるらせん状リードアウトを有する、電気音響変換器を組み立てるための方法を示す図である。
【図４】いくつかの実例によるらせん状リードアウトを有する、電気音響変換器を組み立てるための方法を示す図である。
【図５】いくつかの実例によるらせん状リードアウトを有する、電気音響変換器を組み立てるための方法を示す図である。
【図６】他の実例による電気音響変換器の断面斜視図である。
【図７】いくつかの実例による図６の電気音響変換器を組み立てるための方法を示す図である。
【図８】いくつかの実例による図６の電気音響変換器を組み立てるための方法を示す図である。
【図９】いくつかの実例による図６の電気音響変換器を組み立てるための方法を示す図である。
【図１０Ａ】従来のイヤホン変換器と図１〜図９に示す電気音響変換器の音響性能差を示すグラフである。
【図１０Ｂ】従来のイヤホン変換器と図１〜図９に示す電気音響変換器の音響性能差を示すグラフである。
【発明を実施するための形態】
【００３１】
現代のインイア式のヘッドホン又はイヤホンは通常、小型電気音響変換器又はドライバとも呼ばれる、振動板に取り付けられたマイクロスピーカを含む。音声コイルは、振動板を動かして振動させる。このとき、振動板は、その周囲の空気を押し、その結果、ユーザに出力される音を発生させる。
【００３２】
典型的な音声コイルは、リード線を接点又は端子に電気的に接続することにより、プリント回路基板（printed circuit board、ＰＣＢ）から接点又は端子を介して電気信号を受信するよう構成されている。これを達成するために、小型スピーカ又はマイクロスピーカに使用される典型的な音声コイルは、音声コイルから変換器スリーブの接点又は端子に延びるリードアウトを含み、このリードアウトは更に直接又は間接的にＰＣＢに導電的に接続される。
【００３３】
従来の小型音声コイルの形成、及び音声コイルワイヤをイヤホン変換器内のハウジング又はスリーブに封じ込めることは困難であり、複雑なツーリング及び製造手順を必要とする。特に、導電性ワイヤのリードアウトが回路基板等に取り付けられるように音声コイルから延びるために、音声コイル巻線とスリーブ壁の間のコイルワイヤの領域は、典型的には、振動板又はサラウンドにおける中間ワイヤボンディング点によって支持されるが、このことにより組立工程が更に複雑になる。
【００３４】
図１Ａ〜図１Ｃを参照すると、電気音響変換器２０は、導電性音声コイルワイヤの端部に一対のらせん状リードアウト領域３６Ａ、Ｂを備える小型音声コイル３５を備える。電気音響変換器２０はまた、これだけには限定されないが、スリーブ２２、磁石アセンブリ（図１Ａ〜図１Ｃには図示せず）、及びボビン３３を含むことができる。ボビン３３は、スリーブ２２の開口部又は空洞の周りに配置された振動板（図示せず）に結合されてもよい。スリーブ２２は、第１の端部４１及び第２の端部４２を有してもよい。振動板は、第１の端部４１又はその近傍に配置することができる。プリント回路基板（ＰＣＢ）又は関連するノイズ低減回路（図示せず）は、第１の端部４１の反対側にあるスリーブ２２の第２の端部４２又はその近傍に配置してもよい。
【００３５】
音声コイル３５は、ボビン３３の周りに配置された巻線として構成された導電性本体３６、並びに磁石３２及びバックプレート（図示せず）を備える音響アセンブリを含む。音声コイル本体３６は、銅及び／又は他の導電性材料で形成してもよい。本体３６の端部は、音声コイル３５と電気的に接続するように構成及び配置された、第１のリードアウト端部領域３６Ａ及び第２のリードアウト端部領域３６Ｂを含む。リードアウト領域３６Ａ、Ｂによって提供された電気的接続により、電気信号の受け取りが可能となり、又はそれによりＰＣＢ等（図示せず）を介して伝達が可能となる。コイル３５に提供された電気信号により、振動板が、音響アセンブリ、特に磁石３２に対して内方向又は外方向に移動するのが可能になる。
【００３６】
第１及び第２のリードアウト端部領域３６Ａ、３４Ｂは、ボビン３３から離れる方向に音声コイル３５から接線方向に延びてもよい。リードアウト端部領域３６Ａ、Ｂは、入力信号を受けるように構成された回路基板又は他のコネクタに取り付けるために、スリーブ２２のワイヤ出口凹部４５、４６と呼ばれる開口部、凹部又はスロットを介して、スリーブ２２から延びるように構成及び配置される。リードアウト端部３６Ａ、Ｂは、振動板又はサラウンドには接着されておらず、本体３６からワイヤ出口凹部４５、４６にそれぞれ接着、支持されないで、連続して延びている。音声コイル本体３６はボビン３３の周囲に配置されている。組立手順の間、本体３６は、スリーブ２２の第１の端部４１で接合された振動板の柔らかいサラウンド又は周辺部分に鑑み、音声コイル３５とスリーブ２２の間で、固定具又は他の要素に支持、即ち結合されていない。
【００３７】
導電性本体３６の第１及び第２のリードアウト領域３６Ａ、Ｂは、スリーブ２２内で音声コイル３５の上方にあるのが好ましい。第１のワイヤ出口凹部４５は、音声コイル本体３６の第１のリードアウト端部領域３６Ａを受けるために、スリーブ２２の第１の端部４１又はその近傍に構成及び配置される。第２のワイヤ出口凹部４６は、音声コイル本体３６の第２のリードアウト端部領域３６Ｂを受けるために、スリーブ２２の第１の端部４１又はその近傍に構成及び配置される。第１及び第２のワイヤ出口凹部４５、４６は、１８０度離れて自由に吊り下げる方式で、即ち、サラウンドに接着せずに、音声コイル３５とスリーブ２２の第１の端部４１の間の空間を占めるように、間隔を空けて配置することができる。したがって、導電性ワイヤの第１のリードアウト領域３６Ａ及び第２のリードアウト領域３６Ｂは、同一軸に沿って延びることができるが、これだけには限定されていない。いくつかの例において、ワイヤ出口凹部４５、４６は、スリーブ２２の第１の端部４１の円周の周囲に９０度、１２０度、１５０度等の間隔で配置することができる。
【００３８】
図１Ｂに示すように、第２のリードアウト端部領域３６Ｂは湾曲部４９を含む。特に、音声コイル本体３６は、多層に配置された絶縁配線を含んでもよい。配線層は、第１のリードアウト端部領域３６Ａ及び第２のリードアウト端部領域３６Ｂの配線が、ボビン３３の周りを同一方向に延びるように構成することができる。しかし、湾曲部４９は、第２のリードアウト端部領域３６Ｂが、凹部４５と４６の間、例えば位置Ａで、第１のリードアウト端部領域３６Ｂと接触しないように形成される。言い換えれば、湾曲部４９がこのように形成されなければ、第２のリードアウト端部領域３６Ｂは、位置４９から位置Ａまでらせん状経路に沿って延び、領域３６Ａと３６Ｂ間で望ましくないオーバーラップ及び電気接触が発生する恐れがある。これを克服するために、湾曲部４９は、第２のリードアウト端部領域３６Ｂが「方向を逆にして」位置４９から凹部４６（音声コイルの下半分沿いに）までらせん状経路に沿って延びるように形成される。
【００３９】
アセンブリの一部として、音声コイルリードアウト３６Ａ、Ｂからヘリックスを形成するために、位置合わせツール５０をスリーブ２２の第２の端部４２に配置することができる。位置合わせツール５０は、スリーブ内に挿入され、音声コイル３５及びボビン３３内に位置する頂部領域５０Ａを含む。スリーブ２２内でらせん状音声コイル本体３６を組み立て及び形成する間、位置合わせツール５０を静止位置に保持し、一方、スリーブ２２はその静止位置合わせツール５０の周りを回転させることができる。これにより、ボビン３３は、図１Ａ〜図１Ｃに示すように、ヘリックス形成の一部としてマンドレルとして機能することができる。位置合わせツール５０は、ボビン３３をツール５０から強制的に押し出す又は分離するために、任意の分離ツールを受け入れるためのスロット５１を含むことができる。
【００４０】
図２〜図４に示す電気音響変換器２０の組み立て中に、スリーブ２２に音声コイル３５を挿入する。スピーカの音声コイル３５は、所望の直径のワイヤのらせん状巻線、及びリードアウトワイヤ領域３６Ａ、Ｂを有するように構成されたコイル本体３６を含むことができる。第１のリードアウト領域３６Ａは、第１のワイヤ出口凹部４５に配置される。第２のリードアウト領域３６Ｂは、第２のワイヤ出口凹部４６に配置される。回転に先立ち、リードアウト領域３６Ａ、Ｂはスリーブ２２から垂直に延びる。このようにすることで、図３に示すように、スリーブ２２は音声コイル３５の周りを回転することができ、両者は長手方向軸（Ａ）を中心とする。スリーブ２２は軸（Ａ）を中心に、例えば、反時計回りの方向に回転する。回転量は、例えば１８０度と予め定まっているが、これだけには限定されない。ここで、音声コイルはボビン３３に仮止めされ、音声コイルワイヤは、回転中にワイヤがボビン３３の周りの複数の巻線を含むヘリックスとして形成されるように、スリーブのスロット４５、４６にそれぞれ置かれる。各ヘリックス巻線のらせん角度及び巻線の本数は予め定められている。回転が発生すると、リードアウト領域３６Ａ、Ｂの延長部が変化し、リードアウト領域３６Ａ、Ｂがスリーブ２２から接線方向に延びる。
【００４１】
しかし、スリーブ２２は、回転過多やオーバークロックとなる恐れがあり、又はそうでなければ、所定の位置を超えて、例えば図２に示す元の位置から１８０度を超えて回転することがある。このようにスリーブ２２を回転させることにより、リードアウトワイヤ領域３６Ａ、Ｂが、それぞれ第１及び第２のワイヤ出口凹部４５、４６の位置により、スリーブ２２から接線方向に延びる。これは、回転過多とは言わないまでも、スリーブ２２から垂直に延びることとは区別できる。特に、第１のリードアウトワイヤ領域３６Ａは、コイル本体３６に近接した第１の点３６Ａ１からスリーブ２２の外部の第２の点３６Ａ２まで直線方向に延びることができる。同様に、第２のリードアウトワイヤ領域３６Ｂは、コイル本体３６に近接した第１の点３６Ｂ１からスリーブ２２の外部の第２の点３６Ｂ２まで直線方向に延びることができる。
【００４２】
図４に示すように、第１及び第２のリードアウトワイヤ領域３６Ａ、Ｂが、スリーブ２２から垂直に延び、互いに対して１８０度若しくはその近傍又は他の所定の位置にあるまで、スリーブを逆方向、例えば反時計回りに回転させることができる。このようにすることで、第１のリードアウトワイヤ領域３６Ａは、第１の点３６Ａ１から第２の点３６Ａ２までもはや直線ではなくなる。代わりに、コイル本体３６のヘリックスが、第１の点３６Ａ１から第１のワイヤ出口凹部４５の第３の点３６Ａ３にかけて、第１のリードアウト領域３６Ａから形成される。次いで、第１のリードアウトワイヤ領域３６Ａは、第１のワイヤ出口領域４５の第３の点３６Ａ３から第２の点３６Ａ２まで直線状に延びる。これにより、第２の点３６Ａ２から第３の点３６Ａ３までの直線部分は、第１の点３６Ａ１から第２の点３６Ａ２までのらせん状部分に対してある角度をなすことができる。
【００４３】
同様に、第２のリードアウトワイヤ領域３６Ｂは、第１の点３６Ｂ１から第２の点３６Ｂ２にかけて直線でない。代わりに、コイル本体３６のヘリックスが延びて、第１の点３６Ｂ１から第２のワイヤ出口凹部４６の第３の点３６Ｂ３にかけて、第２のリードアウトワイヤ領域３６Ｂを形成する。第１のリードアウトワイヤ領域３６Ａは、第２のワイヤ出口凹部４６の第３の点３６Ｂ３から第２の点３６Ｂ２まで直線状に延びる。これにより、第２の点３６Ｂ２から第３の点３６Ｂ３までの直線部分は、第１の点３６Ｂ１から第２の点３６Ｂ２までのらせん状部分に対してある角度をなすことができる。導電性ワイヤの第１のリードアウト領域３６Ａ及び第２のリードアウト領域３６Ｂは、実質的に同一の軸に沿って、即ち同一線上に延びることができる。
【００４４】
らせん状のリードアウトワイヤ領域３６Ａ、Ｂが形成された後で、位置合わせツール５０を、例えば、位置合わせツール５０のスロット５１に挿入された外部ツール（図示せず）の助けを借りてスリーブ５０から除去してもよい。図５に示すように、例えば磁石及びバックプレートを含むモータアセンブリ２８をスリーブ２２に挿入して、電気音響変換器２０の組み立てを完了することができる。
【００４５】
図６〜図９は、小型音声コイル３５を有する別の電気音響変換器２００を示す。
【００４６】
図６〜図９に例として示した電気音響変換器２００は、これだけには限定されないが、スリーブ２２、ボビン３３、モータアセンブリ２８、及びボビン３３の周りの音声コイル３５を含み、これらは図１Ａ〜図５の電気音響変換器２０の対応する要素に似ていると考えることができる。その詳細は簡潔を図るため繰り返さない。モータアセンブリ２８は、バックプレート２１、磁石３２、及び位置合わせ要素３８を含むことができ、図１Ａ〜図５に関して図示し説明した音響アセンブリと同一又は類似であってもよい。
【００４７】
電気音響変換器２００は、音響アセンブリの一部、例えば、磁石アセンブリ３２の周りに配置され、リードアウト形成要素とも呼ばれるマンドレル要素７０を含む。図６に示すように、マンドレル要素７０はまた、音響アセンブリの一部であってもよい。マンドレル要素７０は、第１及び第２のリードアウトワイヤ領域２３６Ａ、Ｂをそれぞれ受けるための複数の孔７１Ａ、Ｂ（全体として７１）を含む。
【００４８】
マンドレル要素７０は、音声コイルヘリックス、より具体的には、らせん状リードアウトワイヤ領域２３６Ａ、Ｂの形成に役立つ。組立作業において、振動板２４、ボビン３３、及び音声コイル３５は、スリーブ２２の第１の端部４１に配置される。音声コイル３５は、音声コイル３５の本体２３６から延びるリードアウトワイヤ領域２３６Ａ及び２３６Ｂを含み、これらの領域は、音声コイル３５からスリーブ２２の第２の端部４２の方向に延びる。ボビン３３は、スリーブ２２の第１の端部４１の開口部又は空洞に配置された振動板２４に結合されてもよい。プリント回路基板（ＰＣＢ）（図示せず）等は、第１の端部４１の反対側にあるスリーブ２２の第２の端部４２に配置されてもよい。
【００４９】
マンドレル要素７０の導入及び音声コイル本体３６の一部をなすヘリックスの形成に先立ち、リードアウト２３６Ａ、Ｂはスリーブ２２の第２の端部４２から長手方向に延びる。リードアウト２３６Ａ、Ｂは、次いで、スリーブ２２に挿入される音響アセンブリの一部となるマンドレル要素７０に結合されてもよい。例えば、第１のらせん状リードアウト２３６Ａは、第１のマンドレル孔７１Ａに配置してもよく、第２のらせん状リードアウト２３６Ｂは、第２のマンドレル孔７１Ｂに配置してもよい。
【００５０】
モータアセンブリ２８は長手方向軸（Ａ）に沿って配置され、位置合わせ要素３８により所定位置に保持される。位置合わせ要素３８は、スリーブ２２がアセンブリの周りを回転する間に、モータアセンブリ２８が回転することを防止する。モータアセンブリ２８は、音声コイル３５に向かって直線方向に並進する（図７に示す）。図８に示すように、音声コイル配線２３６により、図７に示すように、ボビン３３の周りにヘリックスが形成されている。図９に示すように、組み立てられた変換器２００には、マンドレル要素７０と音声コイル３５の間に隙間７３がある。ヘリックスは、隙間７３内に配置され、隙間に露出した磁石３２の一部の周りに延びている。
【００５１】
より具体的には、コイル本体３６のヘリックスは、第１の点（図示せず）から第１のマンドレル孔７１Ａの第３の点２３６Ａ３までらせん状に延びる第１のリードアウト領域２３６Ａを形成するように延びている。らせん状の第１のリードアウト領域２３６Ａは、音声コイル３５とマンドレル要素７０の間で支持されていない、即ち、いずれかの他の構造要素に結合されていない。次いで、第１のリードアウトワイヤ領域２３６Ａは、第１のマンドレル孔７１Ａの第３の点２３６Ａ３から、いくつかの例では音響通気口としても機能するバックプレート開口部２１の第２の点２３６Ａ２まで直線状に延びる。図示していないが、第１のリードアウトワイヤ領域２３６Ａは、バックプレート２０を通って変換器２００の外部の接続位置まで延びてもよい。
【００５２】
同様に、コイル本体３６のヘリックスは、第１の点２３６Ｂ１からマンドレル孔７１Ｂ（図７には示さず。図５を参照されたい）の第３の点まで、第２のリードアウトワイヤ領域２３６Ｂを形成するように延びている。らせん状の第２のリードアウト領域２３６Ｂは、音声コイル３５とマンドレル要素７０の間で支持されていない、即ち、いずれかの他の構造要素に結合されていない。第２のリードアウトワイヤ領域２３６Ｂは、マンドレル孔７１Ｂの第３の点（図示せず）から、バックプレート開口部（図示せず）の第２の点（図示せず）まで直線状に延びる。図示していないが、第２のリードアウトワイヤ領域２３６Ｂは、バックプレート２０を通って変換器２００の外部の接続位置まで延びてもよい。これにより、バックプレート開口部２１を通る導電性ワイヤの第１のリードアウト領域２３６Ａ及び第２のリードアウト領域２３６Ｂは、並列となることができる。第１のリードアウト領域２３６Ａ及び第２のリードアウト領域２３６Ｂの直線部分はまた、ＰＣＢ、及び／又は結合されたＰＣＢ（図示せず）等の開口部を通してスリーブ２２の第２の端部４２に延びてもよい。
【００５３】
磁石３２が音声コイル３５の内側に配置されるいくつかの例では、図５及び図６の別の例に示すように、スリーブ２２の外径は約８ｍｍ未満である。いくつかの例では、スリーブ２２は約４．５ｍｍよりも細い外径を有する。他の例では、スリーブ２２は約３．０ｍｍ〜４．５ｍｍの外径を有する。他の例では、スリーブ２２は約３．３ｍｍ〜４．２ｍｍの外径を有する。他の例では、スリーブ２２は約３．６ｍｍ〜３．９ｍｍの外径を有する。いくつかの例では、磁石３２は約１．５ｍｍ〜４．５ｍｍの外径を有する。他の例では、磁石３２は約２．０ｍｍ〜４．０ｍｍの外径を有する。他の例では、磁石３２は約２．５ｍｍ〜３．５ｍｍの外径を有する。いくつかの例では、ドライバの全断面積に対する放射面積の比は約０．７である。いくつかの例では、ドライバの全断面積に対する放射面積の比は、０．５７〜０．７である。いくつかの例では、ドライバの全断面積に対する放射面積の比は、０．６〜０．６７である。いくつかの例では、ドライバの全断面積に対する放射面積の比は、０．６２〜０．６５である。
【００５４】
図１０Ｂは、上述のサイズの１つにしたがって製造することができる、図１〜図５の電気音響変換器２０、又は図６〜図９の電気音響変換器２００の音響性能を示すグラフである。図１０Ａは、従来のより大きなイヤホン変換器の音響性能を示すグラフである。特に、図１０Ｂは、図１０Ａに示す音圧レベル（sound pressure level、ｄｂ  ＳＰＬ）を上回る改良された音圧レベルを示している。図に示すように、自由に吊り下げられたリードアウト、即ち、音声コイル３５からスリーブ２２へ、その間になんらボンディング点なく自由に延びるらせん状リードアウトの特徴により、図１０Ａに示すように従来の変換器の性能に比べて優れた低周波数性能及び高出力を例証する図１０Ｂに明確に示されているより長いストロークを達成する機能が得られる。
【００５５】
本発明の概念の実施例の上記及び更なる利点は、添付の図面と共に下記の記述を参照することによって一層よく理解できるであろう。様々な図において同一の数字は同一の構造的要素及び機能を示す。図面は必ずしもスケーリングされておらず、むしろ、機能及び実施形態の原理を説明することに重点が置かれている。
【００５６】
いくつかの実装形態を説明してきた。それにもかかわらず、前述の説明が、請求項の範囲により規定される本発明の概念の範囲を説明しようとするものであり、限定しないものであることが理解されるであろう。他の実施例は下記の特許請求の範囲内にある。
【符号の説明】
【００５７】
２０  電気音響変換器
２１  バックプレート開口部
２２  スリーブ
２８  モータアセンブリ
３２  磁石
３３  ボビン
３５  小型音声コイル
３６  導電性本体
３６Ａ、３６Ｂ  らせん状リードアウト領域
３６Ａ１、３６Ａ２、３６Ａ３  第１のリードアウトワイヤ領域の第１の点、第２の点、第３の点
３６Ｂ１、３６Ｂ２、３６Ｂ３  第２のリードアウトワイヤ領域の第１の点、第２の点、第３の点
３８  位置合わせ要素
４１  スリーブの第１の端部
４２  スリーブの第２の端部
４５  第１のワイヤ出口凹部
４６  第２のワイヤ出口凹部
４９  湾曲部
５０  位置合わせツール
５１  スロット
７０  マンドレル要素
７１Ａ、７１Ｂ  第１及び第２のマンドレル孔
７３  隙間
２００  電気音響変換器
２３６  音声コイル配線
２３６Ａ、Ｂ  第１及び第２のリードアウトワイヤ領域
２３６Ａ１、２３６Ａ２、２３６Ａ３  第１のマンドレル孔の第１の点、第２の点、第３の点
２３６Ｂ１、２３６Ｂ２、２３６Ｂ３  第２のマンドレル孔の第１の点、第２の点、第３の点
【図１Ａ】
2019518387.tif 000003
【図１Ｂ】
2019518387.tif 000004
【図１Ｃ】
2019518387.tif 000005
【図２】
2019518387.tif 000006
【図３】
2019518387.tif 000007
【図４】
2019518387.tif 000008
【図５】
2019518387.tif 000009
【図６】
2019518387.tif 000010
【図７】
2019518387.tif 000011
【図８】
2019518387.tif 000012
【図９】
2019518387.tif 000013
【図１０Ａ】
2019518387.tif 000014
【図１０Ｂ】
2019518387.tif 000015
【国際調査報告】
2019518387.tif 000016
2019518387.tif 000017